【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
プリンタの使用を制限する制限情報を記憶したサーバ及び複数のプリンタと通信可能であり、前記複数のプリンタに対する印刷データを生成するための複数のプリンタドライバがインストールされた印刷制御装置であって、
該印刷制御装置にインストールされている前記複数のプリンタドライバを識別する情報を取得するドライバ情報取得手段と、
前記制限情報を前記サーバから取得する制限情報取得手段と、
前記ドライバ情報取得手段で取得した情報により識別されるプリンタドライバが、前記制限情報取得手段で取得した制限情報により、使用が制限されているかを判定する判定手段と、
前記判定手段で使用が制限されていないと判定された複数のプリンタドライバの機能を備えた仮想プリンタドライバを生成する生成手段と、
前記生成手段で生成された仮想プリンタドライバの機能の選択指示を受け付ける受付手段と、
前記受付手段で受け付けた機能を満たすプリンタドライバを、前記判定手段で使用が制限されていないと判定された複数のプリンタドライバの中から選択する選択手段と
を備えることを特徴とする印刷制御装置。
【請求項２】
前記制限情報は、更に、プリンタドライバの使用を制限するユーザを示すユーザ情報を含み、
前記印刷制御装置にログインしたユーザが、前記制限情報取得手段で取得した制限情報により、前記ドライバ情報取得手段で取得した情報により識別されるプリンタドライバの使用が制限されたユーザかを判定するユーザ判定手段と、
を更に備え、
前記生成手段は、前記判定手段で使用が制限されていないプリンタドライバと判定され、かつ前記ユーザ判定手段で当該プリンタドライバの使用が制限れていないユーザであると判定された場合に、当該プリンタドライバの機能を備えた仮想プリンタドライバを生成することを特徴とする請求項１に記載の印刷制御装置。
【請求項３】
前記制限情報は、更に、プリンタドライバの使用を制限するコンピュータを示すコンピュータ情報を含み、
前記制限情報取得手段で取得した制限情報により、前記ドライバ情報取得手段で取得した情報により識別されるプリンタドライバの使用が制限されたコンピュータかを判定するコンピュータ判定手段とを更に備え、
前記生成手段は、前記判定手段で使用が制限されていないプリンタドライバと判定され、かつ前記ユーザ判定手段で当該プリンタドライバの使用が制限れていないユーザであると判定され、かつ、前記コンピュータ判定手段で当該プリンタドライバの使用が制限れていないコンピュータであると判定された場合に、当該プリンタドライバの機能を備えた仮想プリンタドライバを生成することを特徴とする請求項１又は２に記載の印刷制御装置。
【請求項４】
前記制限情報取得手段は、該印刷制御装置の起動時に前記制限情報を前記サーバから取得することを特徴とする請求項１乃至３のいずれか１項に記載の印刷制御装置。
【請求項５】
前記制限情報取得手段で、該印刷制御装置の起動時に前記制限情報を前記サーバから取得できたか否かを判定する制限情報取得判定手段と、
前記制限情報取得判定手段で、起動時に前記制限情報を前記サーバから取得できないと判定された場合に、起動前に前記制限情報取得手段で取得した前記制限情報によるプリンタドライバの使用の制限を無効にする無効手段とを更に備えることを特徴とする請求項４に記載の印刷制御装置。
【請求項６】
プリンタの使用を制限する制限情報を記憶したサーバ及び複数のプリンタと通信可能であり、前記複数のプリンタに対する印刷データを生成するための複数のプリンタドライバがインストールされた印刷制御装置における印刷制御方法であって、
前記印刷制御装置のドライバ情報取得手段が、該印刷制御装置にインストールされている前記複数のプリンタドライバを識別する情報を取得するドライバ情報取得工程と、
前記印刷制御装置の制限情報取得手段が、前記制限情報を前記サーバから取得する制限情報取得工程と、
前記印刷制御装置の判定手段が、前記ドライバ情報取得工程で取得した情報により識別されるプリンタドライバが、前記制限情報取得工程で取得した制限情報により、使用が制限されているかを判定する判定工程と、
前記印刷制御装置の生成手段が、前記判定工程で使用が制限されていないと判定された複数のプリンタドライバの機能を備えた仮想プリンタドライバを生成する生成工程と、
前記印刷制御装置の受付手段が、前記生成工程で生成された仮想プリンタドライバの機能の選択指示を受け付ける受付工程と、
前記印刷制御装置の選択手段が、前記受付工程で受け付けた機能を満たすプリンタドライバを、前記判定手段で使用が制限されていないと判定された複数のプリンタドライバの中から選択する選択工程とを備えることを特徴とする印刷制御方法。
【請求項７】
プリンタの使用を制限する制限情報を記憶したサーバ及び複数のプリンタと通信可能であり、前記複数のプリンタに対する印刷データを生成するための複数のプリンタドライバがインストールされた印刷制御装置における印刷制御方法をコンピュータに実行させるための印刷制御プログラムであって、
前記印刷制御装置のドライバ情報取得手段が、該印刷制御装置にインストールされている前記複数のプリンタドライバを識別する情報を取得するドライバ情報取得ステップと、
前記印刷制御装置の制限情報取得手段が、前記制限情報を前記サーバから取得する制限情報取得ステップと、
前記印刷制御装置の判定手段が、前記ドライバ情報取得ステップで取得した情報により識別されるプリンタドライバが、前記制限情報取得ステップで取得した制限情報により、使用が制限されているかを判定する判定ステップと、
前記印刷制御装置の生成手段が、前記判定ステップで使用が制限されていないと判定された複数のプリンタドライバの機能を備えた仮想プリンタドライバを生成する生成ステップと、
前記印刷制御装置の受付手段が、前記生成ステップで生成された仮想プリンタドライバの機能の選択指示を受け付ける受付ステップと、
前記印刷制御装置の選択手段が、前記受付ステップで受け付けた機能を満たすプリンタドライバを、前記判定手段で使用が制限されていないと判定された複数のプリンタドライバの中から選択する選択ステップとをコンピュータに実行させるための印刷制御プログラム。
【請求項８】
請求項７に記載された印刷制御プログラムを記憶したコンピュータで読み取り可能な記録媒体。
【手続補正２】
【補正対象書類名】明細書
【補正対象項目名】００１１
【補正方法】変更
【補正の内容】
【００１１】
本発明の目的は、印刷開始を指示する前に、使用可能なプリンタドライバの機能をユーザに認識させることができる仕組みを提供することにある。
【手続補正３】
【補正対象書類名】明細書
【補正対象項目名】００１２
【補正方法】変更
【補正の内容】
【００１２】
上記目的を達成するため、請求項１の印刷制御装置は、プリンタの使用を制限する制限情報を記憶したサーバ及び複数のプリンタと通信可能であり、前記複数のプリンタに対する印刷データを生成するための複数のプリンタドライバがインストールされた印刷制御装置であって、該印刷制御装置にインストールされている前記複数のプリンタドライバを識別する情報を取得するドライバ情報取得手段と、前記制限情報を前記サーバから取得する制限情報取得手段と、前記ドライバ情報取得手段で取得した情報により識別されるプリンタドライバが、前記制限情報取得手段で取得した制限情報により、使用が制限されているかを判定する判定手段と、前記判定手段で使用が制限されていないと判定された複数のプリンタドライバの機能を備えた仮想プリンタドライバを生成する生成手段と、前記生成手段で生成された仮想プリンタドライバの機能の選択指示を受け付ける受付手段と、前記受付手段で受け付けた機能を満たすプリンタドライバを、前記判定手段で使用が制限されていないと判定された複数のプリンタドライバの中から選択する選択手段とを備えることを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
本発明によれば、印刷開始を指示する前に、使用可能なプリンタドライバの機能をユーザに認識させることができる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】